(57)【要約】【課題】コネクタの種類に依存することなく検出が可能であり、ＣＰＵの負荷軽減とともに省電力化をはかる。【解決手段】イヤホン８２もしくはイヤホンマイク８３のいずれかがイヤホン接続部８１を介して接続可能な電子機器（携帯電話１）であって、イヤホン接続部８１にイヤホン８２もしくはイヤホンマイク８３が接続され、当該接続が検知されたことを契機に、マイク端子Ｍにおける電圧変化を検出し、イヤホン接続部８１にイヤホン８２、イヤホンマイク８３のいずれが接続されたかを判定する制御部（接続判定部３８１）、により構成される。【選択図】図５
2008301068.tif 000002
【特許請求の範囲】
【請求項１】
イヤホン及びイヤホンマイクが接続部を介して接続可能な電子機器であって、
前記イヤホン及びイヤホンマイクの前記接続部への接続を検知する接続検知部と、
前記接続検知部が前記イヤホン及びイヤホンマイクの前記接続部への接続を検知したことを契機に、前記イヤホンマイクのマイクが接続されるマイク端子における電圧変化を検出する電圧変化検出部と、
前記電圧変化検出部が検出した電圧変化に基づいて前記接続部に接続されたものが前記イヤホン及びイヤホンマイクのいずれかであるのかを判定する接続判定部と、
を備える電子機器。
【請求項２】
前記接続判定部の判定結果に基づいて、音声経路を前記イヤホンマイク若しくは内蔵マイクに切り替える切替部を備える
請求項１記載の電子機器。
【請求項３】
前記接続部は、
平型コネクタで構成される
請求項１又は２に記載の電子機器。
【請求項４】
前記イヤホンのマイク端子が電気的に接続されていない状態であり、前記イヤホンマイクのマイク端子が抵抗を介して接地され、
前記電圧変化検出部は、前記イヤホンマイクが前記接続部に接続された場合に、前記マイク端子の電圧降下を検出し、
前記接続判定部は、前記電圧降下に基づいて前記接続部に前記イヤホンマイクが接続されたことを検知する
請求項１から３のいずれか１項に記載の電子機器。
【請求項５】
前記接続検知部は、
前記イヤホン及び前記イヤホンマイクがそれぞれ備えるイヤホン端子の電圧変化に基づいて前記イヤホン及びイヤホンマイクの前記接続部への接続を検知する
請求項１から４のいずれか１項に記載の電子機器。
【発明の詳細な説明】
【技術分野】
【０００１】
本発明は、イヤホン及びイヤホンマイクが接続部を介して接続可能な電子機器に関するものである。
【背景技術】
【０００２】
携帯電話の普及とともに携帯電話の多機能化、多様化が進み、最近ではイヤホンにより携帯電話で音楽を視聴し、あるいはイヤホンマイクにより通話を行なう光景が街中のいたるところで見うけられるようになった。
【０００３】
ところで、携帯電話には、上記したイヤホンとイヤホンにマイクが付いたイヤホンマイク（ヘッドセットともいう）の両方が接続可能である。
【０００４】
そして、これらのいずれが携帯電話に接続されたか検出するために、従来は、ジャックに機械的な検知機構を取り付けて検知していた（例えば、特許文献１参照）。
【０００５】
また、イヤホンマイクが接続された場合のマイク端子の電圧変化によりいずれが接続されたか否かを自動的に検知する方法も知られている（例えば、特許文献２参照）。
【特許文献１】特開平６−２３７１９１号公報
【特許文献２】特開平５−３４４１９２号公報
【発明の開示】
【発明が解決しようとする課題】
【０００６】
しかしながら、上記した特許文献１に開示された技術によれば機構に依存して検出するため、例えば、１０ピンの平型コネクタ等、特定種のコネクタに適用できないという不都合があった。
したがって、この場合、ユーザが接続するイヤホンの種類を事前に手動で設定する必要があった。
【０００７】
このため、イヤホンマイクを設定している状態で、マイクが付いていないイヤホンを使用し、あるいは、設定がマイク無しの状態でイヤホンマイクを使用した場合、音声パスが使用形態と一致しないため、それを気づかずに使用しているユーザに不都合をきたす可能性がある。また、イヤホンマイクとイヤホンとを使い分けるユーザには、設定を毎回手動で強いるため、ユーザに負担をかけ、使い勝手が悪かった。
【０００８】
一方、特許文献２に開示された技術によれば、上記した不都合は解消され、イヤホン、イヤホンマイクのいずれが接続されたかを自動的に検知できるが、このためにＣＰＵはマイク端子の電圧変化を常に監視する必要があり、したがって、負荷が大きく、消費電力にも悪影響を及ぼし、特に、省電力化を最重要設計事項とする携帯電話ではそのための解決策がのぞまれていた。
【０００９】
本発明は、コネクタの種類に依存することなく検出が可能であり、ＣＰＵの負荷軽減とともに省電力化をはかった電子機器を提供することを目的とする。
【課題を解決するための手段】
【００１０】
上記した課題を解決するために本発明の電子機器は、イヤホン及びイヤホンマイクが接続部を介して接続可能な電子機器であって、前記イヤホン及びイヤホンマイクの前記接続部への接続を検知する接続検知部と、前記接続検知部が前記イヤホン及びイヤホンマイクの前記接続部への接続を検知したことを契機に、前記イヤホンマイクのマイクが接続されるマイク端子における電圧変化を検出する電圧変化検出部と、前記電圧変化検出部が検出した電圧変化に基づいて前記接続部に接続されたものが前記イヤホン及びイヤホンマイクのいずれかであるのかを判定する接続判定部と、を備える。
【００１１】
また、本発明の電子機器において、前記接続判定部の判定結果に基づいて、音声経路を前記イヤホンマイク若しくは内蔵マイクに切り替える切替部を備えるように構成してもよい。
【００１２】
また、本発明の電子機器において、前記接続部は、平型コネクタで構成してもよい。
【００１３】
また、本発明の電子機器において、前記イヤホンのマイク端子が電気的に接続されていない状態であり、前記イヤホンマイクのマイク端子が抵抗を介して接地され、前記電圧変化検出部は、前記イヤホンマイクが前記接続部に接続された場合に、前記マイク端子の電圧降下を検出し、前記接続判定部は、前記電圧降下に基づいて前記接続部に前記イヤホンマイクが接続されたことを検知するように構成してもよい。
【００１４】
また、本発明の電子機器において、前記接続検知部は、前記イヤホン及び前記イヤホンマイクがそれぞれ備えるイヤホン端子の電圧変化に基づいて前記イヤホン及びイヤホンマイクの前記接続部への接続を検知するように構成してもよい。
【発明の効果】
【００１５】
本発明の電子機器によれば、コネクタの種類に依存することなく検出が可能であり、ＣＰＵの負荷軽減とともに省電力化がはかれる。
【発明を実施するための最良の形態】
【００１６】
図１は、本発明の実施の形態に係る電子機器として携帯電話１を例示し、その外観を開状態で示した正面図であり、図２は、携帯電話１の外観を開状態で示す視点が側方寄りの斜視図であり、図３（ａ）は、携帯電話１の外観を閉状態で示す正面図であり、図３（ｂ）は、携帯電話１の外観を閉状態で示す背面図である。
【００１７】
携帯電話１は、いわゆる折り畳み式の筐体構造になっており、開状態と閉状態との間で互いに回動自在に連結された受話筐体２、および送話筐体３とを備えている。
受話筐体２および送話筐体３は、それぞれの端部が回動の中心となる連結部４により連結されることにより携帯電話１として全体の筐体を形成する。
受話筐体２および送話筐体３は、それぞれ概ね薄型直方体状に形成されており、閉状態では互いに重ね合わされ、一方の筐体側から他方の筐体側を見たときに互いの輪郭が略一致するようになっている。
【００１８】
また、受話筐体２は、閉状態で送話筐体３に対向する面側の正面側ケース６と、その背面側の背面側ケース７と、背面側ケース７の背面側に取り付けられるパネル８とを備えている。
受話筐体２の閉状態で送話筐体３に対向する正面Ｓ１は正面側ケース６により構成され、その反対側の背面Ｓ２は背面側ケース７およびパネル８により構成されている。
正面側ケース６、背面側ケース７およびパネル８は、例えば、非導電性の樹脂によりそれぞれ成形されている。
【００１９】
受話筐体２の正面Ｓ１には、通話用のスピーカ（不図示）の放音孔１２が開口している。受話筐体２には、正面Ｓ１に映像や文字を表示するメイン表示部１３（表示モニタ）と、背面Ｓ２に映像や文字を表示するサブ表示部１４（図３（ａ））とが設けられている。
すなわち、閉状態にて隠れる位置にメイン表示部１３が、閉状態にしても隠れない位置にサブ表示部１４がそれぞれ設けられている。
メイン表示部１３、およびサブ表示部１４は、例えば、ＬＣＤ表示装置や、有機ＥＬ（Electro-Luminescence）表示装置などの表示デバイスにより構成される。
【００２０】
なお、パネル８は透光性を有しており、サブ表示部１４の保護カバーを兼ねている。さらに、パネル８の内側には背面Ｓ２側を撮影方向とするカメラ２０が配されている。
【００２１】
送話筐体３は、閉状態で受話筐体２に対向する面側の正面側ケース９と、その背面側の背面側ケース１０と、背面側ケース１０の背面側に被せられる蓋１１とを備えている。
送話筐体３の閉状態で受話筐体２に対向する正面Ｓ３は正面側ケース９により構成され、その反対側の背面Ｓ４は背面側ケース１０および蓋１１により構成されている。
正面側ケース９、背面側ケース１０および蓋１１は、たとえば非導電性の樹脂によりそれぞれ成形されている。
【００２２】
また、送話筐体３内部には不図示のガイドに沿って電源手段としての電池６０が内蔵されており、当該電池６０は、電源筐体としての電池カバー７０により覆われている。
電池カバー７０には、その周端部にラッチ７１が設けられており、電池６０の装着時にラッチ７１に対向する送話筐体３内部のガイド位置に形成された不図示の溝と係合することで電池６０が離脱することを防いでいる。
【００２３】
なお、図３（ｂ）に矢印Ａで示す方向に力を加え、ラッチ７１を解除することによって電池カバー７０が開き、電池６０を取り出すことができる。
また、上記したラッチ７１と係合する溝の近傍には検知手段として不図示のマイクロスイッチが実装されており、このマイクロスイッチにより、電池６０の装着／離脱を検出できるようになっている。
【００２４】
一方、送話筐体３の正面Ｓ３には通話用のマイクロフォン（不図示）の集音孔１６が開口し、背面Ｓ４では報知用スピーカ（不図示）に放音孔１７が外側へ向けて閉口している。また、送話筐体３の側面にはイヤホン接続部８１としての１０ピン平型コネクタが実装されている。
１０ピン平型コネクタには、不図示の１０ピン平型プラグを備えたイヤホンもしくはイヤホンマイクが接続される（図２）。
【００２５】
また、送話筐体３には、正面Ｓ３に露出する各種キーを含む操作部１８が設けられている。
各種キーとは、たとえばダイヤルキー１８ａ、カーソルキー１８ｂ、ファンクションキー１８ｃ、決定キー１８ｄである。また、送話筐体３には、背面Ｓ２側を撮影方向とするカメラ２０、背面Ｓ４側を送受信方向とする赤外線専用の赤外線通信部２１が設けられている。
【００２６】
連結部４は、受話筐体２の端部に切り欠き部２７が、送話筐体３の端部に突出部２８が形成され、切り欠き部２７に突出部２８が嵌合されて互いに回動自在に軸支され、構成されている。
切り欠き部２７および突出部２８は、例えば、回転軸方向（図１の紙面左右方向）の幅が受話筐体２および送話筐体３の幅の半分程度の大きさに形成され、受話筐体２および送話筐体３の幅方向の中央に形成されている。
突出部２８は、送話筐体３の正面Ｓ３から、閉状態において受話筐体２と対向する方向へ、受話筐体２の厚みと同程度の高さで突出している。
【００２７】
図４は、本発明の実施の形態にかかわる電子機器の信号処理系の構成の一例を示すブロック図である。ここでも電子機器として携帯電話１が例示されている。
【００２８】
携帯電話１は、図４に示されるように、受話筐体２と、送話筐体３とから成り、受話筐体２と送話筐体３とは、上記したように機械的には連結部４（ヒンジ機構）を介して接続され、電気的には第１のケーブルとしてのメインケーブル４３と、第２のケーブルとしてのカメラケーブル４４とにより接続される。
これらメインケーブル４３、およびカメラケーブル４４は、ともに細線同軸ケーブルにより構成され、ともに切り欠き部２７から突出部２８内へ挿通するヒンジ軸受け内を通って送話筐体内と受話筐体内とを連結している。
【００２９】
細線同軸ケーブルは、同軸ケーブルの中でも比較的径が小さいものであり、たとえば、直径１ｍｍ以下である。最近では、直径０．３ｍｍ以下のものも知られ、ＦＰＣに比べて耐ノイズ性が高く、配線性および屈曲性に優れている。
【００３０】
受話筐体２には、メイン表示部１３と、サブ表示部１４と、カメラ２０と、スピーカ５０とが実装される。また、メイン表示部１３と、サブ表示部１４は、表示デバイスとしてＬＣＤが実装される。
【００３１】
一方、送話筐体３は、基板３０と、ＴＶアンテナ３１と、送受信アンテナ３５と、内蔵マイク４２と、電池６０と、により構成される。
【００３２】
基板３０上には、ＴＶチューナ３２と、映像復号部３３と、画像表示制御部３４と、通信処理部３６と、音声処理部３７と、主制御部３８と、キー入力処理部３９と、メモリ４０（主記憶部）と、スイッチ回路４１と、イヤホン接続部８１とが実装される。
【００３３】
主制御部３８は、例えば、ＣＰＵ（不図示）により構成され、ＣＰＵがメモリ４０に記録されたプログラムを逐次読み出し、実行する。
これにより、主制御部３８は、ＴＶチューナ３２、映像復号部３３、画像表示制御部３４、通信処理部３６、音声処理部３７、キー入力処理部３９等の各種周辺ＬＳＩを制御する。主制御部３８は、受話筐体２と送話筐体３が開状態にあるときは画像表示制御部３４による画像表示をメイン表示部１３にて行わせ、閉状態を検出すると、テレビ放送の録画中を除き、画像表示制御部３４による画像の表示をメイン表示部１３からサブ表示部１４へ切り替える。
【００３４】
主制御部３８はまた、イヤホン接続部８１として実装される１０ピン平型コネクタに、イヤホンもしくはイヤホンマイクが接続され、ここで接続が検知されたことを契機に、マイク端子における電圧変化を検出し、イヤホン接続部８１（１０ピン平型コネクタ）に、イヤホン、イヤホンマイクのいずれが接続されたかを判定する制御部としても機能する。この場合、主制御部３８は、その判定結果にしたがい、マイク付イヤホンのマイク、もしくは内蔵マイク４２に切り換え、送話を制御する。詳細は、図６に示すフローチャートを参照しながら後述する。
【００３５】
ＴＶチューナ３２は、ＴＶアンテナ３１を介して受信される、たとえば、地上波デジタル放送波を中間周波数信号に変換して復調し、さらに、復調して得られる信号を、映像信号成分と音声信号成分に分離し、映像復号部３３、音声処理部３７のそれぞれに供給する。
【００３６】
音声処理部３７は、入力される音声信号成分から音声信号を生成し、メインケーブル４３経由で受話筐体２のスピーカ５０へ出力する。また、映像復号部３３は、入力される映像信号成分を復号化し、共通バス９９を介して画像表示制御部３４へ出力する。
【００３７】
画像表示制御部３４は、映像復号部３３により出力される復号信号を所定のフォーマットにしたがう画像データに変換し、メインケーブル４３を経由して受話筐体２のメイン表示部１３に出力する。
画像表示制御部３４は、カメラ２０により撮影され生成される撮像データをカメラケーブル４４、共通バス９９経由で取得し、所定のフォーマットに従う画像データに変換し、メインケーブル４３経由で受話筐体２のメイン表示部１３もしくはサブ表示部１４へ出力する。
【００３８】
また、通信処理部３６は高周波回路を含み、電波を用いた無線通信を行うために、内蔵マイク４２を介して入力され音声処理部３７で処理された音声データを変調して送受信アンテナ３５を介し送信する。
通信処理部３６はまた、送受信アンテナ３５を介して受信した信号を復調して音声処理部３７経由で受話筐体２のスピーカ５０に出力する。
【００３９】
キー入力処理部３９は、操作部１８に配置された各種キーからその入力情報を取得し、主制御部３８へ引き渡す。なお、配置される各種キーの中にはＴＶ放送の録画を指示する録画キーも含まれる。また各種キーの中にはメインケーブル４３経由で受話筐体２側にも配されていてもよい。さらに側面に配されるサイドキーも含まれる。
【００４０】
メモリ４０には、主制御部３８が実行するプログラムや、当該プログラムが参照するテーブル、あるいは作業領域として使用するデータ（表示データも含む）のそれぞれが格納される記憶領域が割り付けられている。
メモリ４０は、具体的には、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成されるものとする。
【００４１】
図５は、図４に示した本発明の実施の形態に係る電子機器の信号処理系のうち、イヤホン接続インタフェース部分を抽出し、その詳細を示した図である。
上記したように、基板３０には、主制御部３８と、イヤホン接続部８１としての１０ピン平型コネクタが実装され、当該１０ピン平型コネクタには、それぞれがイヤホンを有する、対応するプラグを備えたイヤホン８２、あるいは内部抵抗がＲｍであるマイク８３ｍを有するイヤホンマイク８３が接続される。
【００４２】
主制御部３８は、その内部構成が機能展開して示されているように、接続判定部３８１と、音声パス（音声経路）切替部３８２とにより構成される。
【００４３】
接続判定部３８１は、イヤホン接続を検知するための端子であるイヤホン端子Ｅの電圧変化を検知し、イヤホン接続部８１にイヤホン８２もしくはイヤホンマイク８３が接続され、検出されたことを契機に、マイク端子Ｍにおける電圧変化を検出し、イヤホン接続部８１に、イヤホン８２あるいはイヤホンマイク８３のいずれが接続されたかを判定して音声パス切替部３８２を制御する機能を有する。
【００４４】
また、音声パス切替部３８２は、接続判定部３８１における判定結果（設定）にしたがい、イヤホンマイク８３、もしくは内蔵マイク４２に切り換えて送話を制御する機能を有する。
【００４５】
また、イヤホン接続部８１のイヤホンマイクのマイクが接続されるマイク端子Ｍには、抵抗Ｒ１を介して電源Ｖｍが接続されており、接続判定部３８１は、このマイク端子Ｍの電圧を監視する。
イヤホン接続部８１にイヤホン８２、あるいはイヤホンマイク８３が接続された場合に、電源Ｖｍが供給される。ここで、接続されたイヤホンがイヤホンマイク８３であれば、そのマイク８３ｍの内部抵抗Ｒｍによりマイク端子Ｍにおける電圧はＶｍ＊Ｒｍ／（Ｒ１＋Ｒｍ）となり、マイクが付かないイヤホン８２であれば、イヤホン８２のマイク端子Ｍは電気的に接続されていない状態（開放状態）であるため、抵抗Ｒ１を無視すればマイク端子Ｍの電圧はＶｍのまま（オープン）になる。
したがって、接続判定部３８１は、マイク端子Ｍの電位を監視することにより、イヤホン接続部８１に接続されたイヤホンが、マイク付きか否かの判定が可能になる。
この判定結果にしたがい、音声パス切替部３８２が音声パスを制御して、マイク付きの場合はイヤホンマイク８３、マイク無しの場合は内蔵マイク４２に切替えて送話を制御する。
【００４６】
図６は、本発明の実施の形態に係る電子機器の動作を示すフローチャートであり、主制御部３８によるイヤホンの種別判定処理が示されている。
以下、図６に示すフローチャートを参照しながら図５に示すイヤホン接続インタフェース部分の動作について詳細に説明する。
【００４７】
まず、待機状態において、携帯電話が待ち受け状態にあり、デフォルトの状態で内蔵マイク４２が有効になっていたものとする（ステップＳ６１）。
ここで、イヤホン接続部８１に、マイクが付かないイヤホン８２かイヤホンマイク８３が接続された場合、主制御部３８（接続判定部３８１）はイヤホン接続イベントの発生を検知して（ステップＳ６２“Ｙｅｓ”）、当該イベント発生を契機に、接続されたイヤホンの種別（マイクが付かないイヤホン８２かイヤホンマイク８３）を判定する（ステップＳ６３）。なお、イヤホン接続イベントの発生は、接続判定部３８１がイヤホン接続部８１のイヤホン端子Ｅ、及び、このイヤホン接続部８１のイヤホン端子と電気的に接続される、イヤホン８２及びイヤホンマイク８３のイヤホン端子Ｅの電圧変化を検知することにより知ることができる。すなわち、ここでは、接続判定部３８１が、イヤホン及びイヤホンマイクの接続部（イヤホン接続部８１）への接続を検知する接続検知部と、当該接続検知部がイヤホン及びイヤホンマイクの接続部への接続を検知したことを契機に、マイクが接続されるマイク端子Ｍにおける電圧変化を検出する電圧変化検出部としての機能を備えている。なお、イヤホン接続イベントが発生しない場合は(ステップＳ６２“Ｎｏ")、待ち受け状態に復帰する。
【００４８】
接続されたイヤホンの種別判定において（ステップＳ６３）、イヤホンマイクであった場合（ステップＳ６３“Ｙｅｓ”）、音声パス切替部３８２に“マイク付き”が設定され（ステップＳ６４）、次にイヤホン８２の接続が検知されるまで（ステップＳ６５“Ｎｏ”）その設定が有効になる。
一方、接続されるイヤホンが“マイク無し”であった場合（ステップＳ６３“Ｎｏ”）、音声パス切替部３８２に内蔵マイク４２が設定され（ステップＳ６６）、次にイヤホンマイク８３の接続が検知されるまで（ステップＳ６７“Ｎｏ”）その設定が有効になる。
なお、音声パス切替部３８２は、設定にしたがい音声パスを制御して、“マイク付き”の場合はイヤホンマイク８３、“マイク無し”の場合は内蔵マイク４２に切替えて送話を制御する。すなわち、音声パス切替部３８２は、接続判定部３８１の判定結果に基づいて、音声経路をイヤホンマイク８３もしくは内蔵マイク４２に切り替える切替部として機能する。
【００４９】
以上説明のように本発明の実施の形態に係る電子機器によれば、イヤホン接続イベントの検出を契機（トリガ）として、イヤホン接続が検知された場合にのみイヤホンマイクの検出を行うため、ＣＰＵの処理負荷を軽減し、結果的に、省電力化がはかれる。
なお、上記したイヤホン接続インタフェースにおいては、イヤホン接続部８１（１０ピン平型コネクタ）にイヤホンマイク８３が接続された場合、携帯電話１がそのイヤホンマイク８３へ電源を供給するため、その電位はイヤホンマイク８３が接続された場合にその内部抵抗値によって変化する。したがって、従来から実施しているイヤホン接続自体の検出と、電位の変化を監視することでイヤホンマイク８３が接続されたか否かを判定することができる。このことにより、ユーザ設定が不要であり、接続されたイヤホンの種別に応じて設定が自動化されるため、設定内容と使用形態が異なるような問題の発生は回避することができる。また、コネクタの種類に依存することなくイヤホンの検出が可能になる。
なお、イヤホン又はイヤホンマイクのコネクタは１０ピン平型コネクタに限定されず、他の平型コネクタ、その他のコネクタであって良い。
【００５０】
なお、上記した本発明の実施の形態によれば、電子機器として携帯電話１のみを例示したが、携帯電話１に限らず、ＰＤＡ（Personal Digital Assistants）、やゲーム機等の電子機器全般に同様に適用が可能である。
【図面の簡単な説明】
【００５１】
【図１】本発明の実施の形態に係る電子機器の外観を開状態で示した正面図である。
【図２】本発明の実施の形態に係る電子機器の外観を開状態で示す視点が側方寄りの斜視図である。
【図３】本発明の実施の形態に係る電子機器の外観を閉状態で示す正面図および背面図である。
【図４】本発明の実施の形態に係る電子機器の信号処理系の構成の一例を示すブロック図である。
【図５】本発明の実施の形態に係る電子機器の信号処理系のうち、イヤホン接続インタフェース部分を抽出してその詳細を示したブロック図である。
【図６】本発明の実施の形態に係る電子機器の動作を示すフローチャートである。
【符号の説明】
【００５２】
１…携帯電話、２…受話筐体、３…送話筐体、３８…主制御部、４２…内蔵マイク、８１…イヤホン接続部、８２…イヤホン、８３…イヤホンマイク、８３ｍ…マイク、３８１…接続判定部、３８２…音声パス切替部、Ｅ…イヤホン端子、Ｍ…マイク端子。
【図１】
2008301068.tif 000003
【図２】
2008301068.tif 000004
【図３】
2008301068.tif 000005
【図４】
2008301068.tif 000006
【図５】
2008301068.tif 000007
【図６】
2008301068.tif 000008